(57)【要約】【課題】「クレ満」などと呼ばれる不正器具を用いた不正行為を防止する。【解決手段】メダルセレクター50にて所定の規格に適合するとされたメダルをメダル貯留部18aへ導くためのメダルガイド80は、メダルセレクター50のメダル排出口から排出されたメダルを誘導するための第２メダル誘導通路82と、第２メダル誘導通路82により誘導されるメダルの通過を検知するための第２メダル検知装置100とを備える。第２メダル検知装置100は、第２メダル誘導通路82を通過するメダルが接触すると変位する接触片101と、接触片101の変位に連動して変位する検知片102と、検知片102の変位を検知する変位検知センサー106と、検知片102および変位検知センサー106を覆うカバー部材110とを備える。【選択図】図１
2011050690.tif 000002
【特許請求の範囲】
【請求項１】
メダル投入口から投入されたメダルが所定の規格に適合するか否かの選別を行うためのメダルセレクターと、
メダルセレクターにて所定の規格に適合するとされたメダルをメダル貯留部へ導くためのメダルガイドとを備え、
メダルセレクターは、メダル投入口から投入されたメダルを受け入れるためのメダル受入口と、メダル受入口から受け入れたメダルを誘導するための第１メダル誘導通路と、第１メダル誘導通路により誘導されたメダルを排出するためのメダル排出口と、第１メダル誘導通路により誘導されるメダルの通過を検知するための第１メダル検知装置とを備え、
メダルガイドは、メダル排出口から排出されたメダルを誘導するための第２メダル誘導通路と、第２メダル誘導通路により誘導されるメダルの通過を検知するための第２メダル検知装置とを備え、
第２メダル検知装置は、第２メダル誘導通路内の所定位置に配置され第２メダル誘導通路を通過するメダルが接触すると変位する接触片と、第２メダル誘導通路外の所定位置に配置され接触片の変位に連動して変位する検知片と、検知片の変位を検知するための変位検知センサーと、検知片および変位検知センサーを覆うカバー部材とを備えていることを特徴とする遊技機。
【請求項２】
第２メダル誘導通路は、メダルを起立状態で転動させるように形成され、かつ、平面視で円弧状に湾曲した形状に形成され、
メダルガイドは、第２メダル誘導通路の底面を構成する底部と、第２メダル誘導通路における湾曲の外側の側面を構成する外側壁部と、第２メダル誘導通路における湾曲の内側の側面を構成する内側壁部とを有し、第２メダル誘導通路の上部は開放され、
外側壁部における内側壁部と対向する面には、第２メダル誘導通路の下流側へ向かうに従って底部から次第に離れつつ外側壁部の上端縁まで至る凹部である上方逃し溝が設けられ、
接触片は、上方逃し溝が設けられている位置よりも第２メダル誘導通路の下流側に配置されていることを特徴とする請求項１記載の遊技機。
【請求項３】
接触片は、第２メダル誘導通路の上方に設けられた支持軸によって揺動可能に軸支され、第２メダル誘導通路により誘導されるメダルの上部が、接触片の下部に接触するように形成されているとともに、第２メダル誘導通路により誘導されるメダルの上部が接触片の下部に接触すると、支持軸を中心に接触片が揺動して、接触片の下部が上方へ持ち上がるように変位することを特徴とする請求項１又は２記載の遊技機。
【請求項４】
変位検知センサーは、円弧状に湾曲した第２メダル誘導通路の内側壁部よりも内側の所定位置に配置されていることを特徴とする請求項２又は３記載の遊技機。
【請求項５】
変位検知センサーの所定位置には、センサー側コネクタが設けられ、
変位検知センサーと遊技機の制御装置とを接続するためのハーネスの先端には、ハーネス側コネクタが設けられ、
ハーネス側コネクタがセンサー側コネクタに装着されると、変位検知センサーと遊技機の制御装置とがハーネスを介して電気的に接続されるように形成されているとともに、カバー部材が変位検知センサーを覆った状態では、センサー側コネクタからハーネス側コネクタを取り外すことができないように形成されていることを特徴とする請求項１、２、３又は４記載の遊技機。
【発明の詳細な説明】
【技術分野】
【０００１】
本発明は、メダルを遊技媒体とする遊技機に関し、さらに詳しくは、メダル投入口等から挿入した長尺の部材によりメダルセレクター等に対して行われる不正行為を防止するようにした遊技機に関する。
【背景技術】
【０００２】
メダルを遊技媒体とする遊技機として、スロットマシンがある。
スロットマシンは、メダルが投入されるメダル投入口と、メダル投入口から投入されたが所定の規格に適合するか否かの選別を行うためのメダルセレクターと、メダルセレクターにて所定の規格に適合するとされたメダルを貯留するとともに所定の条件に基づいて貯留しているメダルを排出するためのメダルホッパーと、メダルホッパーから排出されたメダルが払い出されるメダル払出口とを備えている。
また、メダルセレクターは、メダル投入口から投入されたメダルを受け入れるためのメダル受入口と、メダル受入口から受け入れたメダルを誘導するためのメダル誘導通路と、メダル誘導通路により誘導されたメダルを排出するためのメダル排出口とを有し、また、メダル誘導通路の上流側には、所定の規格に適合しないメダルを排除するためのメダル選別手段を有し、また、メダル誘導通路の中間部には、メダルを強制的に排除するためのメダル排除手段を有し、また、メダル誘導通路の下流側には、メダルの通過を検知するためのメダル検知手段を有している。
【０００３】
そして、メダル検知手段によってメダルが検知されると、このメダルが遊技に使用可能なメダルとしてカウントされるようになっている。
ここで、スロットマシンでは、メダルの投入の煩わしさから遊技者を解放するため、クレジット機能を設けている。また、クレジット機能は、次のようなものである。遊技の開始に先立ち、ある程度まとまった枚数のメダルをメダル投入口にあらかじめ投入しておくと、これらのメダルがメダル検知手段によって検知され、このとき出力されるメダル検知信号に基づいて、クレジットメダルカウント手段がカウント動作を行う。つまり、メダルがクレジットされる。また、クレジットメダルカウント手段のカウント値は、スロットマシンの前面に設けた７セグメントＬＥＤに表示される。また、メダルがクレジットされているときに、スロットマシンの前面に設けたベットスイッチを操作すると、メダル投入口からのメダルの投入に代えて、クレジットされているメダルが投入されるとともに、クレジットされているメダルを投入した分だけ、クレジットメダルカウント手段のカウント値が減算される。また、７セグメントＬＥＤには、減算後のカウント値が表示される。そして、クレジットされているメダルを投入した場合にも、メダル投入口からメダルを投入した場合と同様に、遊技を行うことができる。また、クレジットメダルカウント手段のカウント値が０になる前に遊技を終えたいときには、精算スイッチを操作する。そうすると、クレジットされているメダルが払い出されるとともに、クレジットメダルカウント手段のカウント値が０になる。
【０００４】
またここで、メダル検知手段は、メダル誘導通路におけるメダルの正規の進行方向に沿って並列に設けた２個のフォトセンサーから構成されている。メダル誘導通路の上流側に設けられるのが第１フォトセンサーであり、下流側に設けられるのが第２フォトセンサーである。また、各フォトセンサーは、検知光を発する発光部と、発光部から発せられた検知光を受ける受光部とを有する反射型フォトセンサーであり、発光部から発せられ、メダルで反射した検知光を、受光部で検知することにより、メダル誘導通路を通過するメダルを検知するようにしている。第１フォトセンサーが先にメダルを検知し、その直後に第２フォトセンサーがメダルを検知すれば、メダルの進行方向は正常であるが、第２フォトセンサーが先にメダルを検知し、その直後に第１フォトセンサーがメダルを検知すると、メダルの進行方向は異常である。
【０００５】
このように、メダル検知手段を２個のフォトセンサーで構成することにより、メダルの通過のみならず、メダルの進行方向をも検知可能にしている。そうすると、「糸つり」などと呼ばれる不正行為を防止できる。なお、「糸つり」とは、糸を括り付けたメダルをメダル投入口から投入し、糸を操ることでメダルがメダル検知手段の前後を往復するようにして、クレジットメダルカウント手段のカウント値を不正に加算するものである。
また、近年、「クレ満」などと呼ばれる不正器具を用いた不正行為が問題となっている。「クレ満」は、長尺の板状部材の先端付近に、フォトセンサーの発光部から発せられる検知光と同質の光を発するＬＥＤを複数個並べたものであり、これをメダル投入口からメダル誘導通路に挿入し、その先端付近をメダル検知手段のあたりに位置させ、メダルの通過と同じようなタイミングで、上流側のものから下流側のものへ向けて順に、ＬＥＤを一時的に点灯させることにより、あたかも上流側から下流側へ向けてメダルがメダル誘導通路を通過したかのような状態を作り出し、各フォトセンサーに誤作動を起こさせて、クレジットメダルカウント手段のカウント値を不正に加算するものである。
【０００６】
なお、「クレ満」対策の先行技術としては、例えば、下記の特許文献１〜５がある。
【先行技術文献】
【特許文献】
【０００７】
【特許文献１】特開２００６−２７２０１２号公報
【特許文献２】特開２００６−２７１８６５号公報
【特許文献３】特開２００５−２８８００７号公報
【特許文献４】特開２００６−３３０８８８号公報
【特許文献５】特許第４１７３０８６号公報
【発明の概要】
【発明が解決しようとする課題】
【０００８】
ところで、上記の特許文献１〜５には、「クレ満」対策として、メダルセレクターに設けた第１および第２の２つのフォトセンサーに加えて、機械的な接触を介して検知を行う第３のフォトセンサーをメダル誘導通路上の所定位置に設けて、この第３のフォトセンサーの検知結果に基づいて、メダル誘導通路内への「クレ満」の挿入を検知したり、あるいは第１および第２の２つのフォトセンサーの検知結果に基づくカウント値と、第３のフォトセンサーの検知結果に基づくカウント値とを比較照合して、異常か否かの判定を行うなどの先行技術が提案されている。
しかし、第３のフォトセンサーに対しても、例えば、「クレ満」とは別の長尺の異物を用いて不正行為が行われたり、あるいは第３のフォトセンサーと遊技機の制御装置とを接続するハーネスの途中に不正な電子回路が取り付けられる可能性もある。
【０００９】
そこで、本発明は、特に第３のフォトセンサーに対する不正行為の防止を目的とする。
【課題を解決するための手段】
【００１０】
（請求項１）
請求項１記載の発明は、遊技機に係るものであって、メダル投入口21から投入されたメダルが所定の規格に適合するか否かの選別を行うためのメダルセレクター50と、メダルセレクター50にて所定の規格に適合するとされたメダルをメダル貯留部18aへ導くためのメダルガイド80とを備え、メダルセレクター50は、メダル投入口21から投入されたメダルを受け入れるためのメダル受入口と、メダル受入口から受け入れたメダルを誘導するための第１メダル誘導通路と、第１メダル誘導通路により誘導されたメダルを排出するためのメダル排出口と、第１メダル誘導通路により誘導されるメダルの通過を検知するための第１メダル検知装置とを備え、メダルガイド80は、メダル排出口から排出されたメダルを誘導するための第２メダル誘導通路82と、第２メダル誘導通路82により誘導されるメダルの通過を検知するための第２メダル検知装置100とを備え、第２メダル検知装置100は、第２メダル誘導通路82内の所定位置に配置され第２メダル誘導通路82を通過するメダルが接触すると変位する接触片101と、第２メダル誘導通路82外の所定位置に配置され接触片101の変位に連動して変位する検知片102と、検知片102の変位を検知するための変位検知センサー106と、検知片102および変位検知センサー106を覆うカバー部材110とを備えていることを特徴とする。
【００１１】
（請求項２）
請求項２記載の発明は、請求項１記載の発明の特徴点に加え、第２メダル誘導通路82は、メダルを起立状態で転動させるように形成され、かつ、平面視で円弧状に湾曲した形状に形成され、メダルガイド80は、第２メダル誘導通路82の底面を構成する底部83と、第２メダル誘導通路82における湾曲の外側の側面を構成する外側壁部84と、第２メダル誘導通路82における湾曲の内側の側面を構成する内側壁部85とを有し、第２メダル誘導通路82の上部は開放され、外側壁部84における内側壁部85と対向する面には、第２メダル誘導通路82の下流側へ向かうに従って底部83から次第に離れつつ外側壁部84の上端縁まで至る凹部である上方逃し溝86が設けられ、接触片101は、上方逃し溝86が設けられている位置よりも第２メダル誘導通路82の下流側に配置されていることを特徴とする。
【００１２】
（請求項３）
請求項３記載の発明は、請求項１又は２記載の発明の特徴点に加え、接触片101は、第２メダル誘導通路82の上方に設けられた支持軸104によって揺動可能に軸支され、第２メダル誘導通路82により誘導されるメダルの上部が、接触片101の下部に接触するように形成されているとともに、第２メダル誘導通路82により誘導されるメダルの上部が接触片101の下部に接触すると、支持軸104を中心に接触片101が揺動して、接触片101の下部が上方へ持ち上がるように変位することを特徴とする。
（請求項４）
請求項４記載の発明は、請求項２又は３記載の発明の特徴点に加え、変位検知センサー106は、円弧状に湾曲した第２メダル誘導通路82の内側壁部85よりも内側の所定位置に配置されていることを特徴とする。
【００１３】
（請求項５）
請求項５記載の発明は、請求項１ないし４記載の発明の特徴点に加え、変位検知センサー106の所定位置には、センサー側コネクタ108が設けられ、変位検知センサー106と遊技機の制御装置とを接続するためのハーネス107の先端には、ハーネス側コネクタ109が設けられ、ハーネス側コネクタ109がセンサー側コネクタ108に装着されると、変位検知センサー106と遊技機の制御装置とがハーネス107を介して電気的に接続されるように形成されているとともに、カバー部材110が変位検知センサー106を覆った状態では、センサー側コネクタ108からハーネス側コネクタ109を取り外すことができないように形成されていることを特徴とする。
【発明の効果】
【００１４】
（請求項１）
請求項１記載の発明によれば、メダルガイドに、メダル排出口から排出されたメダルを誘導するための第２メダル誘導通路と、第２メダル誘導通路により誘導されるメダルの通過を検知するための第２メダル検知装置とを設けるとともに、第２メダル検知装置については、第２メダル誘導通路を通過するメダルが接触すると変位する接触片と、接触片の変位に連動して変位する検知片と、検知片の変位を検知するための変位検知センサーと、検知片および変位検知センサーを覆うカバー部材とを備えた構成とすることにより、メダルセレクターの第１メダル検知装置に加えて、機械的な接触を介してメダルの通過を検知する、第２メダル検知装置を設けた上で、第２メダル検知装置の検知片と変位検知センサーとを、カバー部材で覆うようにしたことから、第２メダル検知装置の検知片と変位検知センサーとに対するアクセスを困難にすることができ、これにより、長尺の異物を用いて変位検知センサーに誤作動を起こさせる不正行為を防止できる。
【００１５】
（請求項２）
請求項２記載の発明によれば、第２メダル誘導通路を、平面視で円弧状に湾曲した形状に形成するとともに、第２メダル誘導通路の外側壁部における、内側壁部と対向する面に、上方逃し溝とされる凹部を設けて、この上方逃し溝については、第２メダル誘導通路の下流側へ向かうに従って、第２メダル誘導通路の底部から次第に離れつつ、外側壁部の上端縁まで至るようにし、その上で、この上方逃し溝よりも下流側に、第２メダル検知装置の接触片を配置することにより、たとえメダル投入口から第２メダル誘導通路まで、長尺の異物が挿入されたとしても、この長尺の異物の先端が、外側壁部に摺りながら、第２メダル誘導通路内を上流側から下流側へ向けて進むと、上方逃し溝に落ち込み、さらに奥まで押し込まれると、上方逃し溝の下端縁に沿って上方へ向けて進み、ひいては、開放された上部から第２メダル誘導通路の外へ導かれることから、それよりも下流側に配置した接触片には到達しないので、接触片に対する不正行為を防止できる。
【００１６】
（請求項３）
請求項３記載の発明によれば、第２メダル誘導通路の上方に設けた支持軸によって、接触片を揺動可能に軸支し、第２メダル誘導通路により誘導されるメダルの上部が、接触片の下部に接触するように形成するとともに、第２メダル誘導通路により誘導されるメダルの上部が接触片の下部に接触すると、支持軸を中心に接触片が揺動して、接触片の下部が上方へ持ち上がるように変位するようにしたことから、たとえメダル投入口から挿入された長尺の異物の先端が、第２メダル誘導通路の底部に摺りながら、第２メダル誘導通路内を上流側から下流側へ向けて進み、これにより、上方逃し溝86による第２メダル誘導通路の外への排除を免れたとしても、第２メダル誘導通路の上方に設けた接触片には到達しないので、接触片に対する不正行為を防止できる。
【００１７】
（請求項４）
メダル投入口から挿入された長尺の異物の先端は、円弧状に湾曲した第２メダル誘導通路の外側壁部かあるいは底部に摺りながら、第２メダル誘導通路内を上流側から下流側へ向けて進むため、円弧状に湾曲した第２メダル誘導通路の内側壁部よりも内側には到達しないところ、請求項４記載の発明によれば、変位検知センサーを、円弧状に湾曲した第２メダル誘導通路の内側壁部よりも内側に配置したことから、メダル投入口から挿入された長尺の異物の先端が、変位検知センサーには到達しないので、変位検知センサーに対する不正行為を防止できる。
【００１８】
（請求項５）
請求項５記載の発明によれば、カバー部材が変位検知センサーを覆った状態では、センサー側コネクタからハーネス側コネクタを取り外すことができないように形成したことから、センサー側コネクタとハーネス側コネクタとの間に不正な電子回路を接続する、「ぶら下げ」あるいは「ぶら下がり」などと呼ばれる不正行為を防止できる。
【図面の簡単な説明】
【００１９】
【図１】本発明の実施の形態に係る遊技機の外観正面図
【図２】本発明の実施の形態に係る遊技機の筐体内部の正面図
【図３】本発明の実施の形態に係る遊技機の前扉裏面の正面図
【図４】本発明の実施の形態に係る遊技機の前扉裏面の要部拡大斜視図
【図５】本発明の実施の形態に係る遊技機のメダルガイドを上方から見た斜視図
【図６】本発明の実施の形態に係る遊技機のメダルガイドを下方から見た斜視図
【図７】本発明の実施の形態に係る遊技機のメダルガイドの分解斜視図
【図８】本発明の実施の形態に係る遊技機のメダルガイドの分解斜視図
【図９】本発明の実施の形態に係る遊技機のメダルガイドの分解斜視図
【図１０】本発明の実施の形態に係る遊技機のメダルガイドの断面図
【図１１】本発明の実施の形態に係る遊技機のメダルガイドのハーネス説明図
【図１２】本発明の実施の形態に係る遊技機のメダルガイドのハーネス説明図
【図１３】本発明の実施の形態に係る遊技機のメダルガイドの動作説明図
【図１４】本発明の実施の形態に係る遊技機のメダルガイドの動作説明図
【図１５】本発明の実施の形態に係る遊技機のメダルガイドに対して不正行為が行われたときの説明図
【図１６】本発明の他の実施の形態に係る遊技機のメダルガイドの斜視図
【図１７】本発明の他の実施の形態に係る遊技機のメダルガイドの斜視図
【図１８】本発明の実施の形態および本発明の他の実施の形態に係る遊技機のメダルガイドの各部の寸法説明図
【発明を実施するための形態】
【００２０】
図１〜図１５に基づいて、本発明の実施の形態に係る遊技機について説明する。
以下、「前面」とは、遊技機において遊技を行う際に遊技者が向き合う面をいい、「右側」とは、遊技機の前面に向き合って遊技を行う遊技者から見て右側をいい、「左側」とは、遊技機の前面に向き合って遊技を行う遊技者から見て左側をいう。
（遊技機）
本実施の形態に係る遊技機は、スロットマシン10である。
図１〜図３に示すように、このスロットマシン10は、前面に開口部を有する箱型の筐体11と、筐体11前面の開口部を開閉可能に塞ぐ前扉12とを備えている。
【００２１】
また、筐体11は、底板、右側板、左側板、天板および背板を備え、前面に開口部を有する箱型をしている。また、筐体11内部における、上下のほぼ中間位置には、右側板と左側板との間に水平に架け渡すようにして、中板が設けられている。
また、図２に示すように、筐体11内部における、中板よりも上側には、中板の上面中央に固定するようにして、３個の回転リール17を横並びに設けたリールユニット16が設けられるとともに、背板に固定するようにして、スロットマシン10を制御するための制御装置が設けられ、また、筐体11内部における、中板よりも下側には、底板の上面中央に固定するようにして、投入されたメダルを貯留するメダル貯留部18aを有するとともにメダル貯留部18aに貯留しているメダルを払い出すためのメダルホッパー18が設けられるとともに、底板の上面左側に固定するようにして、スロットマシン10が備える各装置に電力を供給するための電源ユニットが設けられている。
【００２２】
また、前扉12の上部中央には、演出用ランプが設けられ、また、前扉12の上部中央における演出用ランプの下側には、液晶ディスプレイが設けられ、また、前扉12の上部における液晶ディスプレイの左右両側には、スピーカがそれぞれ設けられている。
また、図１に示すように、前扉12の前面上部には、上パネル13が備えられ、また、前扉12の前面下部には、下パネル14が備えられ、また、前扉12の前面における、上パネル13と下パネル14との間には、前方へ向けて突出する操作部20が設けられている。
また、図１に示すように、上パネル13のほぼ中央には、各回転リール17の周囲に付されている図柄を遊技者に見せるための図柄表示窓15が設けられ、また、下パネル14には、当該スロットマシン10の機種名のロゴやイメージキャラクターなどが表示されている。
【００２３】
また、図１に示すように、操作部20の上面右側には、メダルが投入されるメダル投入口21が設けられ、また、操作部20の上面左側には、クレジットされているメダルをベットするためのベットスイッチ22が設けられ、また、操作部20の前面左側には、クレジットされているメダルを返却するためのキャンセルスイッチ23、および回転リール17の回転を開始させるためのスタートスイッチ24が設けられ、また、操作部20の前面中央には、回転リール17の回転を停止させるための３個のストップスイッチ25が横並びに設けられている。
また、図１に示すように、前扉12の下部中央であって、メダル投入口21よりも下方の位置には、前扉12を前後に貫通するようにして、メダルが払い出されるメダル払出口26が設けられ、また、前扉12の前面下部における、メダル払出口26の下方には、メダル払出口26から払い出されたメダルを受け止めて貯留するためのメダル受け皿27が設けられている。
【００２４】
また、図３〜図４に示すように、前扉12の裏面における、メダル投入口21に対応する位置、より具体的には、メダル投入口21の後下方に相当する位置には、メダル投入口21から投入されたメダルが所定の規格に適合するものか否かの選別を行うためのメダルセレクター50と、メダルセレクター50にて所定の規格に適合するとされたメダルをメダルホッパー18のメダル貯留部18aへ導くためのメダルガイド80とが取り付けられている。
また、図３に示すように、前扉12の裏面における、メダルセレクター50からメダル払出口26にかけての位置には、前扉12の裏面に沿うようにして、メダルシュート70が設けられている。このメダルシュート70は、メダルセレクター50にて所定の規格に適合しないとして排除されたメダルを受け入れてメダル払出口26まで誘導するメダル返却通路を形成するためのものである。
【００２５】
（メダル投入口21）
メダル投入口21は、遊技を行うに際しメダルを投入するところであって、前扉12の所定位置、具体的には、操作部20の上面右側に設けられている。
また、メダル投入口21には、メダルを通過させることが可能な内寸のスリットが、その上部から下部まで至るように形成されている。そして、スリットの上側が、入口として開口するとともに、スリットの下側が、出口として開口している。これにより、入口に投入されたメダルがスリットを通過して出口から排出されるようになっている。
（メダルセレクター50）
メダルセレクター50は、メダル投入口21から投入されたメダルが所定の規格に適合するか否かの選別を行うためのものであって、前扉12の裏面における、メダル投入口21に対応する位置、より具体的には、メダル投入口21の下方に相当する位置に取り付けられている。
【００２６】
メダルセレクター50は、箱型のセレクタケース51と、セレクタケース51の背面に対して開閉可能に取り付けられたゲートプレート52と、ゲートプレート52を背面側から覆うようにセレクタケース51に取り付けられたセレクタカバー53とを備えている。セレクタケース51とセレクタカバー53とにより、メダルセレクター50は、外形は四角箱型に見える。
また、メダルセレクター50の上面右側には、メダル投入口21から投入されたメダルを受け入れるためのメダル受入口が設けられ、また、セレクタケース51とゲートプレート52との間には、メダル受入口から受け入れたメダルを誘導するための第１メダル誘導通路が設けられ、また、メダルセレクター50の左面下側には、第１メダル誘導通路により誘導されたメダルを排出するためのメダル排出口が設けられている。
【００２７】
そして、メダルセレクター50を所定の取付位置に取り付けると、メダル投入口21の出口とメダルセレクター50のメダル受入口とが合致する。これにより、メダル投入口21の入口から投入されたメダルがメダルセレクター50の第１メダル誘導通路へスムーズに流れるようになっている。
また、第１メダル誘導通路は、上面右側のメダル受入口から左面下側のメダル排出口まで至るように、「く」の字あるいは「Ｌ」の字のように途中で屈曲した形状に形成されており、メダル受入口からほぼ鉛直下方へ向かう鉛直通路と、鉛直通路の下端から斜め下方へ向けて緩やかに傾斜してメダル排出口まで至る傾斜通路とからなる。
【００２８】
また、メダル受入口付近には、所定の規格よりも直径が大きいメダルや、所定の規格よりも厚さが大きいメダルの通過を阻止する第１メダル選別手段が設けられている。
また、傾斜通路の上流側には、所定の規格よりも直径が小さいメダルや、所定の規格よりも厚さが小さいメダルを第１メダル誘導通路から排除する第２メダル選別手段が設けられている。
また、傾斜通路の中間部には、第１メダル選別手段および第２メダル選別手段によって所定の規格に適合するとされたメダルを強制的に排除するメダル排除手段が設けられている。このメダル排除手段は、所定の規格に適合するものの投入不可とされているときに投入されたメダルを第１メダル誘導通路から強制的に排除するものである。
【００２９】
また、傾斜通路の下流側には、第１メダル誘導通路により誘導されるメダルの通過を検知するための第１メダル検知装置が設けられている。この第１メダル検知装置は、第１メダル選別手段、第２メダル選別手段およびメダル排除手段によって排除されることなく第１メダル誘導通路の下流側まで到達したメダルの通過を検知するものである。
また、第１メダル検知装置は、第１メダル誘導通路におけるメダルの正規の進行方向に沿って並列に設けた２個のフォトセンサーから構成されている。第１メダル誘導通路の上流側に設けられるのが第１フォトセンサーであり、下流側に設けられるのが第２フォトセンサーである。また、各フォトセンサーは、検知光を発する発光部と、発光部から発せられた検知光を受ける受光部とを有する反射型フォトセンサーであり、発光部から発せられ、メダルで反射した検知光を、受光部で検知することにより、第１メダル誘導通路を通過するメダルを検知するようにしている。第１フォトセンサーが先にメダルを検知し、その直後に第２フォトセンサーがメダルを検知すれば、メダルの進行方向は正常であるが、第２フォトセンサーが先にメダルを検知し、その直後に第１フォトセンサーがメダルを検知すると、メダルの進行方向は異常である。
【００３０】
そして、第１メダル検知装置によって進行方向が正常なメダルとして検知されると、このメダルが遊技に使用可能なメダルとしてカウントされ、その後、メダル排出口から排出され、後述するメダルガイド80に導かれて、メダルホッパー18のメダル貯留部18aへ至る。
（セレクタブラケット60）
セレクタブラケット60は、メダルセレクター50を前扉12の裏面の所定位置に着脱可能に取り付けるためのものである。
このセレクタブラケット60は、前扉12の裏面の所定位置、具体的には、メダル投入口21の下方に相当する位置に、ビスで固定されており、メダルセレクター50の係合部をセレクタブラケット60の被係合部に係合させると、メダルセレクター50が、セレクタブラケット60に取り付けられ、ひいては前扉12の裏面の所定位置（メダル投入口21の下方に相当する位置）に取り付けられることとなる。
【００３１】
（メダルガイド80）
メダルガイド80は、メダルセレクター50にて所定の規格に適合するとされたメダルをメダルホッパー18のメダル貯留部18aへ導くためのものである。
図５〜図１０に示すように、本実施の形態では、メダルガイド80は、一体成形されたベース部材81を備えており、このベース部材81上に、メダルセレクター50のメダル排出口から排出されたメダルを誘導するための第２メダル誘導通路82と、第２メダル誘導通路82により誘導されるメダルの通過を検知するための第２メダル検知装置100とを備えている。
また、第２メダル誘導通路82は、メダルセレクター50の左面下側に設けられたメダル排出口から排出されたメダルを、筐体11内部の下方に設けられたメダルホッパー18のメダル貯留部18aへ導くために、図５〜図１０に示すように、平面視でメダルの進行方向を左方向から後方へ右曲がりにほぼ９０度変更するように、円弧状に湾曲した形状に形成され、かつ、上流側から下流側へ向かうに従って高さが次第に低くなるように滑らかに傾斜するように形成されている。
【００３２】
また、図５〜図１０に示すように、メダルガイド80のベース部材81は、第２メダル誘導通路82の底面を構成する底部83と、第２メダル誘導通路82における湾曲の外側の側面を構成する外側壁部84と、第２メダル誘導通路82における湾曲の内側の側面を構成する内側壁部85とを有するとともに、円弧状に湾曲した第２メダル誘導通路82における内側壁部85よりも湾曲の内側に相当する位置に、センサー取付部87を有している。また、外側壁部84と内側壁部85との間隔は、所定の規格に適合したメダルの厚さよりは大きく、かつ、同メダルの直径よりは小さく設定されている。具体的には、外側壁部84と内側壁部85との間隔は、所定の規格に適合したメダルの厚さの３倍から５倍程度、かつ、同メダルの直径の２分の１から３分の１程度に設定されている。このようにして、第２メダル誘導通路82は、メダルを起立状態で転動させるように形成されている。
【００３３】
また、図５〜図１０に示すように、第２メダル誘導通路82の上部は開放されている。
また、図７に示すように、外側壁部84における、内側壁部85と対向する面には、つまり、外側壁部84における、第２メダル誘導通路82の内周面となる側には、第２メダル誘導通路82の下流側へ向かうに従って底部83から次第に離れつつ外側壁部84の上端縁まで至る凹部である上方逃し溝86が設けられている。具体的には、図７に示すように、外側壁部84における、内側壁部85と対向する面には、上方逃し溝86とされる凹部が設けられている。また、上方逃し溝86とされる凹部の下端縁は、第２メダル誘導通路82の上流側から下流側へ向かうに従って底部83から次第に離れていくように滑らかに湾曲しており、第２メダル誘導通路82における中間よりもやや下流側寄りの位置で、外側壁部84の上端縁まで至っている。これにより、後述する第２メダル検知装置100の接触片101は、上方逃し溝86が設けられている位置よりも第２メダル誘導通路82の下流側に配置されることとなっている。
【００３４】
ここで、図１５の（Ａ）に示すように、メダル投入口21からメダルセレクター50の第１メダル誘導通路を介してメダルガイド80の第２メダル誘導通路82まで、長尺の異物が挿入されたとする。このような場合、長尺の異物の先端は、外側壁部84における、内側壁部85と対向する面に摺りながら、第２メダル誘導通路82内を上流側から下流側へ向けて進んでいく。そうすると、長尺の異物の先端は、図１５の（Ｂ）に示すように、上方逃し溝86とされる凹部に落ち込み、さらに奥まで押し込まれると、図１５の（Ｃ）に示すように、上方逃し溝86とされる凹部の下端縁に沿って上方へ向けて進み、ひいては、開放された上部から第２メダル誘導通路82の外へ導かれることとなるので、後述する接触片101や検知片102や変位検知センサー106などに到達することができない。
【００３５】
また、第２メダル検知装置100は、第２メダル誘導通路82により誘導されるメダルの通過を検知するためのものであって、図５〜図７に示すように、本実施の形態では、第２メダル誘導通路82における下流側端部付近に設けられている。
また、図７に示すように、第２メダル検知装置100は、第２メダル誘導通路82内の所定位置に配置され第２メダル誘導通路82を通過するメダルが接触すると変位する接触片101と、第２メダル誘導通路82外の所定位置に配置され接触片101の変位に連動して変位する検知片102と、検知片102の変位を検知するための変位検知センサー106と、検知片102および変位検知センサー106を覆うカバー部材110とを備えている。
【００３６】
ここで、図５〜図１１に示すように、カバー部材110は、下部が開放された箱形に形成されている。具体的には、カバー部材110は、上面には上面板111を有し、右側面には右側面板112を有し、左側面には左側面板113を有し、前面には前面板114を有し、背面には背面板115を有し、下面には開口部が設けられている。これにより、カバー部材110は、下部が開放された箱形となっている。また、カバー部材110の内部には、カバー部材110の内部を左右に仕切るようにして仕切板116が設けられているとともに、仕切板116の一部が切り欠かれるようにして連通部117が設けられている。この連通部117は、カバー部材110の内部の左右を連通するものとなっている。そして、このようなカバー部材110の内部に、接触片101や検知片102や変位検知センサー106などが取り付けられるとともに、これらが取り付けられたカバー部材110が、ベース部材81のセンサー取付部87に取り付けられることにより、接触片101や検知片102や変位検知センサー106などが、第２メダル誘導通路82に対して所定位置に配置されるとともに、カバー部材110が、接触片101や検知片102や変位検知センサー106などを覆うようになっている。
【００３７】
また、カバー部材110のベース部材81への固定は、カバー部材110のカバー側係止突起118を、ベース部材81のベース側係止孔89に係合させるとともに、ベース部材81のベース側係止突起90を、カバー部材110のカバー側係止孔119に係合させ、この状態で、カバー部材81のビス孔に挿通させたビスを、ベース部材81の固定用ボス88に設けたビス止め孔に螺合させることによって行われる。
なお、本実施の形態では、変位検知センサー106は、カバー部材110の内部の所定位置にビスで固定されるようになっているが、このビスを工具で回しやすくするための切り欠きが、カバー部材110の背面板115に設けられている。そして、ベース部材81には、カバー部材110の背面板115に設けられた切り欠きを覆い隠すための後覆い板94が設けられており、さらには、この後覆い板94を補強するとともにカバー部材110の右側面板112を覆い隠すための右覆い板95が設けられている。
【００３８】
また、図７に示すように、本実施の形態では、接触片101と検知片102とは、連結部103で連結されている。つまり、連結部103の一方側の端部付近には、下方へ向けて突出する板状の接触片101が設けられており、また、連結部103における接触片101とは反対側の端部付近には、前方へ向けて突出する板状の検知片102が設けられている。また、接触片101と検知片102と連結部103とは、一体成形されている。また、連結部103には、その中心を接触片101側から検知片102側まで貫くようにして、支持軸104が取り付けられている。また、カバー部材110の左側面板113および右側面板112には、それぞれ軸孔が設けられており、支持軸104の左右両端は、各軸孔にそれぞれ挿入されている。このとき、連結部103および支持軸104は、カバー部材110の内部の左右を連通する連通部117内に配置される。このようにして、支持軸104が、カバー部材110に取り付けられており、ひいては、接触片101および検知片102が、カバー部材110に対して支持軸104を中心に揺動可能に取り付けられている。そして、カバー部材110が、ベース部材81のセンサー取付部87に取り付けられると、支持軸104が、第２メダル誘導通路82の下流側端部付近における上方に位置するようになっている。これにより、接触片101は、第２メダル誘導通路82内の所定位置に、また、検知片102は、第２メダル誘導通路82外の所定位置に、それぞれ配置されるようになっている。
【００３９】
具体的には、接触片101は、第２メダル誘導通路82内における、第２メダル誘導通路82の下流側端部付近に配置される。そして、図１３の（Ａ）および図１４の実線で示すように、接触片101は、第２メダル誘導通路82の上方に設けられた支持軸104によって揺動可能に軸支されることにより、第２メダル誘導通路82により誘導されるメダルの上部が、接触片101の下部に接触するようになっているとともに、図１３の（Ｂ）および図１４の破線で示すように、第２メダル誘導通路82により誘導されるメダルの上部が接触片101の下部に接触すると、支持軸104を中心に接触片101が揺動して、接触片101の下部が上方へ持ち上がるように変位するようになっている。
【００４０】
また、支持軸104には、接触片101および検知片102を基準位置に復帰させるためのコイルバネである復帰バネ105が外装されている。復帰バネ105は、支持軸104の外側に嵌められており、一端をカバー部材110の所定位置に係止させるとともに、他端を連結部103の所定位置に係止させている。これにより、復帰バネ105は、支持軸104を中心に、接触片101および検知片102を一定方向へ向けて回動させるように付勢し、ひいては、常態では接触片101および検知片102が基準位置に復帰するようにしている。なお、基準位置では、接触片101は、下方を向き、かつ、検知片102は、前方を向くようになっている。
また、変位検知センサー106は、検知片102の変位を検知するためのものである。本実施の形態では、変位検知センサー106として、フォトセンサーを用いている。この変位検知センサー106としてのフォトセンサーは、検知光を発する発光部と、発光部から発せられた検知光を受ける受光部とを有している。そして、発光部と受光部との間に検知片102があれば、発光部から発せられた検知光は、受光部には届かなくなり、また、検知片102が変位することにより、発光部と受光部との間から退けば、発光部から発せられた検知光は、受光部に届くようになる。そして、発光部から発せられた検知光が、受光部に届いているか否かによって、検知片102が変位したか否かを検知するものである。
【００４１】
また、検知片102は、接触片101の変位に連動して変位するものである。図１３の（Ａ）に示すように、本実施の形態では、基準位置では、つまり、接触片101の下部にメダルの上部が接触せず、接触片101が下方を向いているときには、検知片102は、前方を向くようになっている。このとき、検知片102は、変位検知センサー106としてのフォトセンサーの発光部と受光部との間に位置するようになっており、発光部から発せられた検知光が受光部には届かなくなるようにしている。一方、図１３の（Ｂ）に示すように、接触片101の下部にメダルの上部が接触し、支持軸104を中心に接触片101が揺動して、接触片101の下部が上方へ持ち上がるように変位すると、検知片102は、下方へ押し下げられるように変位する。そうすると、検知片102は、変位検知センサー106としてのフォトセンサーの発光部と受光部との間から退き、これにより、発光部から発せられた検知光が受光部に届くようになる。
【００４２】
また、図１２および図１３に示すように、変位検知センサー106および検知片102は、ベース部材81のセンサー取付部87に配置されるが、上述したように、ベース部材81のセンサー取付部87は、円弧状に湾曲した第２メダル誘導通路82における内側壁部85よりも湾曲の内側に相当する位置に設けられている。つまり、変位検知センサー106および検知片102は、円弧状に湾曲した第２メダル誘導通路82における内側壁部85よりも湾曲の内側に相当する位置に配置されている。
また、図７、図９、図１０および図１２に示すように、変位検知センサー106の所定位置には、センサー側コネクタ108が設けられ、一方、カバー部材110の前面板114の所定位置には、コネクタ挿通孔120とされる四角形状の開口部が設けられている。そして、変位検知センサー106をカバー部材110の内部の所定位置に固定すると、センサー側コネクタ108がコネクタ挿通孔120内に位置する。これにより、カバー部材110の外部からコネクタ挿通孔120を介してセンサー側コネクタ108にアクセス可能となる。さらに、コネクタ挿通孔120内に位置するセンサー側コネクタ108に、ハーネス107の先端に設けられたハーネス側コネクタ109が装着される。そして、ハーネス側コネクタ109がセンサー側コネクタ108に装着されると、変位検知センサー106と遊技機としてのスロットマシン10の制御装置とがハーネス107を介して電気的に接続される。
【００４３】
また、図７、図８、図９、図１０、図１２および図１３に示すように、本実施の形態では、カバー部材110の前面板114における、コネクタ挿通孔120の上側に相当する位置には、当該位置から前方へ向けて突出する、四角平板状のコネクタ上方隠し板121が設けられ、また、カバー部材110の前面板114における、コネクタ挿通孔120の左側に相当する位置には、当該位置から前方へ向けて突出する、四角平板状のコネクタ左方隠し板122が設けられている。一方、ベース部材81のセンサー取付部87における、センサー側コネクタ108とハーネス側コネクタ109との接続部の下方に相当する位置には、ハーネス挿通孔91とされる四角形状の開口部が設けられている。そして、ベース部材81のセンサー取付部87における、ハーネス挿通孔91の前側に相当する位置には、当該位置から上方へ向けて突出する、四角平板状のコネクタ前方隠し板96が設けられ、また、ベース部材81のセンサー取付部87における、ハーネス挿通孔91の右側に相当する位置には、当該位置から上方へ向けて突出する、四角平板状のコネクタ右方隠し板97が設けられている。
【００４４】
そして、ベース部材81のセンサー取付部87の下面側から上面側へ、ハーネス挿通孔91を介して、ハーネス107の先端を挿通させ、その後、ハーネス107の先端に設けられたハーネス側コネクタ109を、センサー側コネクタ108に装着し、その後、カバー部材110を、ベース部材81のセンサー取付部87に取り付ける。そうすると、センサー側コネクタ108とハーネス側コネクタ109との接続部は、カバー部材110の前面板114と、コネクタ上方隠し板121と、コネクタ左方隠し板122と、ベース部材81のセンサー取付部87、コネクタ前方隠し板96と、コネクタ右方隠し板97とによって、六方を囲まれることとなる。これにより、ベース部材81のセンサー取付部87からカバー部材110を取り外さない限り、センサー側コネクタ108とハーネス側コネクタ109との接続部に対してアクセス不可能となっており、センサー側コネクタ108からハーネス側コネクタ109を取り外したり、センサー側コネクタ108とハーネス側コネクタ109との間に不正な電子回路を接続する、「ぶら下げ」あるいは「ぶら下がり」などと呼ばれる不正行為が行われないようにしている。
【００４５】
また、上述したように、ハーネス107は、ハーネス挿通孔91に挿通されるが、ハーネス107における、ハーネス挿通孔91から下方に飛び出した部分は、図１１および図１２に示すように、第２メダル誘導通路82の底部83の下側を這うように取り回され、その後、第２メダル誘導通路82の外側壁部84における、内側壁部85とは反対側の面に設けられたハーネス係止フック92に係止される。具体的には、このハーネス係止フック92は、ハーネス107を係止させるためのものであって、ほぼ「Ｃ」の字形に形成され、「Ｃ」の字の切れ目に相当する切欠部93を、第２メダル誘導通路82の下流側へ向けるようにして、第２メダル誘導通路82の外側壁部84における、内側壁部85とは反対側の面の上端付近に設けられている。さらに、ハーネス係止フック92の切欠部93の近傍には、カバー部材110をベース部材81に係止させるためのベース側係止突起90が突出している。そして、図１１および図１２の（Ａ）に示すように、ハーネス107は、切欠部93を介して、ハーネス係止フック92に保持されて係止されるが、図１２の（Ｂ）に示すように、仮にハーネス107がハーネス係止フック92から外れてしまったとしても、切欠部93の近傍に、ベース側係止突起90が突出していることから、ハーネス係止フック92から外れたハーネス107は、ベース側係止突起90に引っ掛かる上に、この状態でも依然として、第２メダル誘導通路82の底部83の下側を這うように取り回されたままとなる。これにより、たとえハーネス107がハーネス係止フック92から外れたとしても、この外れたハーネス107が第２メダル誘導通路82上のメダルの流下を阻害することはないようにしている。
【００４６】
（メダルホッパー18）
メダルホッパー18は、メダルを貯留するとともに、所定の条件に基づいて、貯留しているメダルを排出するためのものである。
このメダルホッパー18は、筐体11の内部に配置されており、底板の上面中央に固定されている。そして、このメダルホッパー18は、メダルセレクター50にて所定の規格に適合するとされたメダルを貯留するためのメダル貯留部18aと、メダル貯留部18aに貯留されているメダルを排出ためのメダル排出機構18bとを備えている。そして、メダル排出機構18bによって排出されたメダルは、メダル払出口26から払い出されるようになっている。
【００４７】
（メダル払出口26）
メダル払出口26は、メダルホッパー18から排出されたメダルが払い出される開口部であって、前扉12の下部中央に、前扉12を前後に貫通するように設けられている。
（メダルシュート70）
メダル返却通路は、メダルセレクター50により所定の規格に適合しないとして排除されたメダルを受け入れてメダル払出口26まで誘導する通路である。そして、メダルシュート70は、このようなメダル返却通路を形成するためのものである。
このメダルシュート70は、前扉12の裏面における、メダルセレクター50からメダル払出口26にかけての位置に、前扉12の裏面に沿うようにして取り付けられている。また、メダルシュート70は、長手方向に直交する断面がほぼ「コ」字形あるいは「Ｕ」字形に形成されている。そして、メダルシュート70が前扉12の裏面における所定の位置に取り付けられると、メダルシュート70と前扉12との間に、メダル返却通路が形成される。また、メダル返却通路は、メダルセレクター50からメダル払出口26まで至る。具体的には、メダル返却通路の上端は、メダルセレクター50付近に位置し、そこにはメダルセレクター50から排除されたメダルを受け入れる開口部が設けられている。また、メダル返却通路の下端は、メダル払出口26に連通している。また、メダル返却通路は、上端から下端へ向かうにしたがって高さが次第に低くなるように形成されている。これにより、メダルセレクター50から排除されたメダル、すなわちメダルセレクター50にて所定の規格に適合しないとされたメダル、およびメダル投入不可に設定されているときにメダル投入口21から投入されて強制的に排除されたメダルは、メダル返却通路によって、メダル払出口26まで誘導される。
【００４８】
（制御装置）
本実施の形態では、制御装置は、第１メダル検知装置の第１フォトセンサーおよび第２フォトセンサーがこの順にメダルの通過を検知し、第１メダル検知装置によるメダルの通過の検知から所定の時間の範囲内（例えば、９５．３６ミリ秒〜３７９．９５ミリ秒の範囲内）で、第２メダル検知装置100の変位検知センサー106が検知片102の変位を検知すれば、「正常」と判定するが、第１メダル検知装置によるメダルの通過の検知から所定の時間（例えば、９５．３６ミリ秒）に達する前に、第２メダル検知装置100の変位検知センサー106が検知片102の変位を検知したり、第１メダル検知装置によるメダルの通過の検知から所定の時間（例えば、３７９．９５ミリ秒）を経過した後に、第２メダル検知装置100の変位検知センサー106が検知片102の変位を検知したり、あるいは第１メダル検知装置によるメダルの通過の検知から所定の時間（例えば、３７９．９５ミリ秒）を経過しても、第２メダル検知装置100の変位検知センサー106が検知片102の変位を検知しないと、「エラー」と判定する。
【００４９】
（作用・効果）
以上説明したように、本実施の形態によれば、メダルガイド80に、メダル排出口から排出されたメダルを誘導するための第２メダル誘導通路82と、第２メダル誘導通路82により誘導されるメダルの通過を検知するための第２メダル検知装置100とを設けるとともに、第２メダル検知装置100については、第２メダル誘導通路82を通過するメダルが接触すると変位する接触片101と、接触片101の変位に連動して変位する検知片102と、検知片102の変位を検知するための変位検知センサー106と、検知片102および変位検知センサー106を覆うカバー部材110とを備えた構成とした。このように、メダルの通過を光学的に検知する、メダルセレクター50の第１メダル検知装置に加えて、機械的な接触を介してメダルの通過を検知する、第２メダル検知装置100を設けた上で、第２メダル検知装置100の検知片102と変位検知センサー106とを、カバー部材110で覆うようにしたことから、第２メダル検知装置100の検知片102と変位検知センサー106とに対するアクセスが困難になり、これにより、長尺の異物を用いて変位検知センサー106に誤作動を起こさせる不正行為を防止できる。
【００５０】
また、本実施の形態によれば、第２メダル誘導通路82を、平面視で円弧状に湾曲した形状に形成するとともに、第２メダル誘導通路82の外側壁部84における、内側壁部85と対向する面に、上方逃し溝86とされる凹部を設け、この上方逃し溝86については、第２メダル誘導通路82の下流側へ向かうに従って、第２メダル誘導通路82の底部83から次第に離れつつ、外側壁部84の上端縁まで至るようにし、その上で、この上方逃し溝86よりも下流側に、第２メダル検知装置100の接触片101を配置した。このため、第２メダル検知装置100の接触片101に対して不正行為を行うことを目的として、メダル投入口21から第２メダル誘導通路82まで、長尺の異物が挿入されたとしても、この長尺の異物の先端は、外側壁部84における、内側壁部85と対向する面に摺りながら、第２メダル誘導通路82内を上流側から下流側へ向けて進み、この際に、上方逃し溝86に落ち込み、さらに奥まで押し込まれると、上方逃し溝86の下端縁に沿って上方へ向けて進み、ひいては、開放された上部から第２メダル誘導通路82の外へ導かれることとなり、それよりも下流側に配置されている接触片101に到達することができないので、接触片101に対する不正行為を防止できる。
【００５１】
また、本実施の形態によれば、第２メダル誘導通路82の上方に設けた支持軸104によって、接触片101を揺動可能に軸支し、第２メダル誘導通路82により誘導されるメダルの上部が、接触片101の下部に接触するように形成するとともに、第２メダル誘導通路82により誘導されるメダルの上部が接触片101の下部に接触すると、支持軸104を中心に接触片101が揺動して、接触片101の下部が上方へ持ち上がるように変位するようにした。ここで、メダル投入口21から挿入された長尺の異物の先端が、外側壁部84に設けた上方逃し溝86によって第２メダル誘導通路82の外へ導かれないようにするには、長尺の異物の先端を、第２メダル誘導通路82の底部83に摺らせながら、第２メダル誘導通路82内を上流側から下流側へ向けて進ませる必要があるところ、接触片101を、第２メダル誘導通路82の上方に設けた支持軸104によって揺動可能に軸支したことから、たとえ長尺の異物の先端が、上方逃し溝86によって第２メダル誘導通路82の外へ導かれなかったとしても、第２メダル誘導通路82の上方に設けた接触片101には容易には到達することができないので、接触片101に対する不正行為を防止できる。
【００５２】
また、本実施の形態によれば、円弧状に湾曲した第２メダル誘導通路82の内側壁部85よりも内側に、センサー取付部87を設け、そこに変位検知センサー106を配置した。ここで、メダル投入口21から挿入された長尺の異物の先端は、第２メダル誘導通路82の外側壁部84か底部83に摺りながら、第２メダル誘導通路82内を上流側から下流側へ向けて進むところ、円弧状に湾曲した第２メダル誘導通路82の内側壁部85よりも内側に、変位検知センサー106を配置したことから、メダル投入口21から挿入された長尺の異物の先端が、変位検知センサー106には容易には到達することができないので、変位検知センサー106に対する不正行為を防止できる。
【００５３】
また、本実施の形態によれば、カバー部材110が変位検知センサー106を覆った状態では、センサー側コネクタ108からハーネス側コネクタ109を取り外すことができないように形成したことから、センサー側コネクタ108とハーネス側コネクタ109との間に不正な電子回路を接続する、「ぶら下げ」あるいは「ぶら下がり」などと呼ばれる不正行為を防止できる。
（変形例１）
例えば、図１６に示すように、円弧状に湾曲した第２メダル誘導通路82の外側壁部84における、内側壁部85と対向する面に、外側壁部84の下流側端縁まで至る凹部である下流側逃し溝131を設けることができる。そうすると、仮にメダル投入口21から挿入された長尺の異物の先端が、第２メダル誘導通路82の底部83に摺りながら、第２メダル誘導通路82内を上流側から下流側へ向けて進み、これにより、上方逃し溝86による第２メダル誘導通路82外への排除を免れ、その後に、外側壁部84に摺りながら、接触片101へ向けて上方へ進路を変えたとしても、今度は下流側逃し溝131にトラップされて第２メダル誘導通路82外へ排除されることから、第２メダル誘導通路82の上方に設けた接触片101には到達しないので、接触片101に対する不正行為の防止効果をより一層高めることができる。
【００５４】
（変形例２）
例えば、図１７に示すように、円弧状に湾曲した第２メダル誘導通路82の外側壁部84における、内側壁部85と対向する面に、第２メダル誘導通路82の下流側へ向かうに従って底部83から次第に離れつつ外側壁部84の上端縁まで至る凹部である上方逃し溝86としての第１上方逃し溝132を設けるとともに、第１上方逃し溝132よりも下流側に、同じく上方逃し溝86としての第２上方逃し溝133を設け、そして、第２上方逃し溝133よりも下流側に、接触片101を配置することができる。そうすると、仮にメダル投入口21から挿入された長尺の異物の先端が、第２メダル誘導通路82の底部83に摺りながら、第２メダル誘導通路82内を上流側から下流側へ向けて進み、これにより、上方逃し溝86としての第１上方逃し溝132による第２メダル誘導通路82外への排除を免れ、その後に、外側壁部84に摺りながら、接触片101へ向けて上方へ進路を変えたとしても、今度は上方逃し溝86としての第２上方逃し溝133にトラップされて第２メダル誘導通路82外へ排除されることから、第２上方逃し溝133よりも下流側に設けた接触片101には到達しないので、接触片101に対する不正行為の防止効果をより一層高めることができる。
【００５５】
（本実施の形態および変形例１・２に共通）
ここで、本実施の形態および変形例１・２では、直径２５ｍｍ以上３０ｍｍ以下のメダルを使用可能とされている。つまり、使用可能なメダルのうち、直径が最小のものを最小径メダルとし、直径が最大のものを最大径メダルとすると、最小径メダルの直径は２５ｍｍ、最大径メダルの直径は３０ｍｍとされている。
またここで、メダルの直径を「φ」とし、メダルの半径を「ｒ」とし、最小径メダルの直径を「φ(min)」とし、最小径メダルの半径を「ｒ(min)」とし、最大径メダルの直径を「φ(max)」とし、最大径メダルの半径を「ｒ(max)」とし、底部83の上面から上方逃し溝86の下端縁のうち最も低いところまでの高さを「ｈ(lower)」とし、底部83の上面から下流側逃し溝131の上端縁のうち最も高いところまでの高さを「ｈ(upper)」とし、底部83の上面から接触片101の下端縁までの高さを「ｈ(flap)」とする。
【００５６】
また、本実施の形態および変形例１・２では、第２メダル誘導通路82は、平面視で円弧状に湾曲しており、かつ、メダルを起立状態で転動させるように形成されている。このため、第２メダル誘導通路82内においては、メダルは、その上下の中間位置（底部83から高さ「ｒ」の位置）を、外側壁部84における、内側壁部85と対向する面に摺りながら、上流側から下流側へ向けて転動していく。
そして、図１８に示すように、本実施の形態および変形例１・２では、下記の４つの式を満たすように形成されている。
式１：ｈ(lower)＞ｒ(max)
式２：ｈ(flap)＜φ(min)
式３：ｈ(lower)＜ｈ(flap)
式４：ｈ(upper)＜ｒ(min)
つまり、底部83の上面から上方逃し溝86の下端縁のうち最も低いところまでの高さｈ(lower)は、最大径メダルの半径ｒ(max)よりも大きくなるように形成されている（式１）。
【００５７】
また、底部83の上面から接触片101の下端縁までの高さｈ(flap)は、最小径メダルの直径φ(min)よりも小さくなるように形成されている（式２）。
また、底部83の上面から上方逃し溝86の下端縁のうち最も低いところまでの高さｈ(lower)は、底部83の上面から接触片101の下端縁までの高さｈ(flap)よりも小さくなるように形成されている（式３）。
また、底部83の上面から下流側逃し溝131の上端縁のうち最も高いところまでの高さｈ(upper)は、最小径メダルの半径ｒ(min)よりも小さくなるように形成されている（式４）。
【００５８】
そして、「式１」を満たすことにより、第２メダル誘導通路82内を上流側から下流側へ向かうメダル（特に最大径メダル）が、上方逃し溝86の下端縁に引っ掛かることなく滑らかに転動するようにしている。
また、「式２」を満たすことにより、第２メダル誘導通路82を通過するメダル（特に最小径メダル）が、接触片101に必ず接触して確実に検知されるようにしている。
また、「式３」を満たすことにより、第２メダル誘導通路82内に挿入された長尺の異物（例えばクレ満）が、上方逃し溝86によって第２メダル誘導通路82の外へ導かれるか、たとえ上方逃し溝86による第２メダル誘導通路82外への排除を免れたとしても、接触片101に到達することもないようにしている。
【００５９】
また、「式４」を満たすことにより、第２メダル誘導通路82内を上流側から下流側へ向かうメダル（特に最小径メダル）が、下流側逃し溝131の上端縁に引っ掛かることなく滑らかに転動するようにしている。
なお、直径２５ｍｍのメダルのみなど、使用可能なメダルを１種類に限ってもよい。この場合、「最小径メダル」＝「最大径メダル」となり、「最小径メダルの直径φ(min)」＝「最大径メダルの直径φ(max)」となり、「最小径メダルの半径ｒ(min)」＝「最大径メダルの半径ｒ(max)」となる。
【符号の説明】
【００６０】
10  スロットマシン                   11  筐体
12  前扉                             13  上パネル
14  下パネル                         15  図柄表示窓
16  リールユニット                   17  回転リール
18  メダルホッパー                   18a メダル貯留部
18b メダル排出機構                   20  操作部
21  メダル投入口                     22  ベットスイッチ
23  キャンセルスイッチ               24  スタートスイッチ
25  ストップスイッチ                 26  メダル払出口
27  メダル受け皿                     50  メダルセレクター
51  セレクタケース                   52  ゲートプレート
53  セレクタカバー                   54  セレクタ係合部
60  セレクタブラケット               70  メダルシュート
80  メダルガイド                     81  ベース部材
82  第２メダル誘導通路               83  底部
84  外側壁部                         85  内側壁部
86  上方逃し溝                       87  センサー取付部
88  固定用ボス                       89  ベース側係止孔
90  ベース側係止突起                 91  ハーネス挿通孔
92  ハーネス係止フック               93  切欠部
94  後覆い板                         95  右覆い板
96  コネクタ前方隠し板               97  コネクタ右方隠し板
100  第２メダル検知装置              101  接触片
102  検知片                          103  連結部
104  支持軸                          105  復帰バネ
106  変位検知センサー                107  ハーネス
108  センサー側コネクタ              109  ハーネス側コネクタ
110  カバー部材                      111  上面板
112  右側面板                        113  左側面板
114  前面板                          115  背面板
116  仕切板                          117  連通部
118  カバー側係止突起                119  カバー側係止孔
120  コネクタ挿通孔                  121  コネクタ上方隠し板
122  コネクタ左方隠し板              131  下流側逃し溝
132  第１上方逃し溝                  133  第２上方逃し溝
【図１】
2011050690.tif 000003
【図２】
2011050690.tif 000004
【図３】
2011050690.tif 000005
【図４】
2011050690.tif 000006
【図５】
2011050690.tif 000007
【図６】
2011050690.tif 000008
【図７】
2011050690.tif 000009
【図８】
2011050690.tif 000010
【図９】
2011050690.tif 000011
【図１０】
2011050690.tif 000012
【図１１】
2011050690.tif 000013
【図１２】
2011050690.tif 000014
【図１３】
2011050690.tif 000015
【図１４】
2011050690.tif 000016
【図１５】
2011050690.tif 000017
【図１６】
2011050690.tif 000018
【図１７】
2011050690.tif 000019
【図１８】
2011050690.tif 000020